(57)【要約】【課題】柱に取付けることで高い位置に作業足場を確保することができ、構造が簡単で取付け取り外しに手間がかからず、高所での作業が安全に能率よく行うことができる高所作業用足場装置を提供する。【解決手段】角形鋼管を用いた構造物の柱に対して一面側から外接する断面コ字状で上下に長い取付け杆２の上端部に、この取付け杆２の柱に対する嵌合方向に沿って、構造物の柱と反対方向に突出する水平の足場台３と、この足場台３を形成するアングル材６、６を延長させることによって前記柱の両側から柱の他面側に突出する一対の突出部４、４を設け、両側突出部４、４の先端間に、構造物の柱の他面側に対して当接する係止軸５が抜き差し可能に架設してある。【選択図】図１
0003127555.tif 000002
【実用新案登録請求の範囲】
【請求項１】
構造物の柱に対して一面側から外接する断面コ字状で上下に長い取付け杆の上端部に、この取付け杆の柱に対する嵌合方向に沿って、構造物の柱と反対方向に突出する足場台と、前記柱の両側から柱の他面側に突出する一対の突出部を設け、両側突出部の先端間に、構造物の柱の他面側に対して当接する係止軸を抜き差し可能に架設した高所作業用足場装置。
【請求項２】
上記足場台が、取付け杆の幅方向の両側に平行状態で水平に固定したアングル材と、この両側アングル材の上面に張設した床材で形成され、上記構造物の柱の他面側に突出する一対の突出部が、前記足場台の形成に用いたアングル材を柱の他面側に突出するよう延長させることによって形成され、一方突出部の先端に係止軸の挿通孔と、他方突出部の先端に係止軸の先端雄ねじをねじ込むためのねじ孔が設けられ、前記係止軸は基端側に回動操作用のハンドルが設けられている請求項１に記載の高所作業用足場装置。
【請求項３】
上記取付け杆の前面に、上下の中間部に位置する足掛け桟と、下端部の位置に掛け吊り具を設けた請求項１又は２に記載の高所作業用足場装置。
【考案の詳細な説明】
【技術分野】
【０００１】
この考案は、構造物の骨組みとなる鉄骨構造の組み立て作業等に用いる高所作業用足場装置に関する。
【背景技術】
【０００２】
構造物の骨組みとなる鉄骨構造の組み立て作業は、柱の立設と柱間への梁材の架設を上階に向けて繰り返し行うものであり、柱間への梁材の架設は高所作業となる。
【０００３】
従来、柱間への梁材の架設作業は、柱に設けた梁接続材の上に作業者が載り、吊り上げた梁材と柱に設けた梁接続材をボルト締結や溶接によって接続するようにしている。
【０００４】
また、柱間への梁材の架設作業用として、柱の周囲を囲むように、足場枠を四方に配置し、これを下階の床上に支える簡易ステージが提案されている（特許文献１参照）。
【特許文献１】特開平５−３２１４５６号公報
【考案の開示】
【考案が解決しようとする課題】
【０００５】
しかし、柱に設けた梁接続材上は、スペース的に極めて狭く、このような上で上記のような接続作業を行うのは、作業性が悪いだけでなく極めて危険な作業となり、このため、作業条件の改善が望まれているのが現状である。
また、上記従来の簡易ステージは、構成部材の数が多く組み立てと解体に手間と経費がかかり、作業能率が悪いという問題がある。
【０００６】
そこで、この考案の課題は、柱に対して簡単に取付けることで高い位置に作業足場を確保することができ、構造が簡単で取付け取り外しに手間がかからず、高所での作業が安全に能率よく行うことができる高所作業用足場装置を提供することにある。
【課題を解決するための手段】
【０００７】
上記のような課題を解決するため、この考案は、構造物の柱に対して一面側から外接する断面コ字状で上下に長い取付け杆の上端部に、この取付け杆の柱に対する嵌合方向に沿って、構造物の柱と反対方向に突出する足場台と、前記柱の両側から柱の他面側に突出する一対の突出部を設け、両側突出部の先端間に、構造物の柱の他面側に対して当接する係止軸を抜き差し可能に架設した構成を採用したものである。
【０００８】
上記足場台が、取付け杆の幅方向の両側に平行状態で水平に固定したアングル材と、この両側アングル材の上面に張設した床材で形成され、上記構造物の柱の他面側に突出する一対の突出部が、前記足場台の形成に用いたアングル材を柱の他面側に突出するよう延長させることによって形成され、一方突出部の先端に係止軸の挿通孔と、他方突出部の先端に係止軸の先端雄ねじをねじ込むためのねじ孔が設けられ、前記係止軸は基端側に回動操作用のハンドルが設けられている構造とすることができる。
【０００９】
また、上記取付け杆の前面に、上下の中間部に位置する足掛け桟と、下端部の位置に掛け吊り具を設けることができる。
【００１０】
ここで、上記取付け杆は、例えば、角形鋼管を用いた柱に外接する内幅を有し、１ｍ程度の上下長さを有するチャンネル材を用い、その上端部に足場台を溶接によって固定し、この足場台の先端は取付け杆の前面との間に設けたチャンネル材の補強材で支持されている。
【００１１】
また、係止軸は、基端側に嵌めたリングにチエンを連結し、このチエンの端部をアングル材に固定することにより、引き抜いたときの不注意による落下発生を防いでいる。
【考案の効果】
【００１２】
この考案によると、柱に外接する取付け杆の上端部に足場台と、前記柱の両側から柱の他面側に突出する一対の突出部を設け、両側突出部の先端間に、構造物の柱の他面側に対して当接する係止軸を抜き差し可能に架設したので、柱に取付け杆を重ねて両側突出部の先端間に係止軸を架設すれば、取付け杆の上部で柱を抱持することで柱に対して固定でき、この取付け杆の上部にある足場台で作業足場を確保でき、この足場台に上って作業すれば、作業条件の改善により、高所作業が安全に能率よく行うことができる。
【００１３】
また、構造が簡単でコスト的に安価であり、柱に対する取付けも簡単で、作業の終了時は、係止軸を引き抜くだけで手間がかからず柱から撤去でき、他の位置での使用に速やかに対応することができて便利である。
【考案を実施するための最良の形態】
【００１４】
以下、この考案の実施の形態を図示例と共に説明する。
【００１５】
図示のように、高所作業用足場装置１は、構造物Ａの角形鋼管を用いた柱Ｂに一面側から外接する取付け杆２の上端部に、この取付け杆２の柱Ｂに対する嵌合方向に沿って、構造物Ａの柱Ｂと反対方向に突出する足場台３と、前記柱Ｂの両側から柱Ｂの他面側に突出する一対の突出部４、４を設け、両側突出部４、４の先端間に、構造物Ａの柱Ｂの他面側に対して当接する係止軸５を架設した構造になっている。
【００１６】
上記取付け杆２は、例えば、角形鋼管を用いた柱Ｂに外接する内幅を有し、１ｍ程度の上下長さを有する、１．６ｍｍ厚、１０３×４０×４０ｍｍのチャンネル材を用い、その上端部に足場台３が溶接によって固定されている。
【００１７】
上記足場台３は、取付け杆２の幅方向の両側に平行状態で取付け杆２と直角となる水平に固定したアングル材６、６と、この両側アングル材６、６の先端を結合するフラットバー７と、両側アングル材６、６間の上面に張設したエキスパンドメタル等の床材８で形成され、その上面に載ることにより作業者が安定して作業が行える広さの作業床を確保している。
【００１８】
図３のように、上記構造物Ａの柱Ｂの他面側に突出する一対の突出部４、４は、前記足場台３の形成に用いたアングル材６、６を柱Ｂの他面側に突出するよう延長させることによって形成され、一方突出部４の垂直片の先端に係止軸５の挿通孔９と、他方突出部４の垂直片の先端に係止軸５の先端雄ねじ１０をねじ込むためのねじ孔を有するナット１１が設けられている。
【００１９】
上記係止軸５は基端側に、先端雄ねじ１０をナット１１に対してねじ込んだり離脱させるための回動操作用のハンドル１２が設けられ、この基端側に抜け止め状に嵌めたリング１３に適宜長さのチエン１４を連結し、このチエン１４の端部をアングル材６に固定することにより、係止軸５を引き抜いたときの不注意による落下の発生を防いでいる。
【００２０】
図示の場合、足場台３の先端は取付け杆２の前面との間に傾斜して設けたチャンネル補強材１５で支持されていると共に、取付け杆２の前面に、上下の中間部の位置に鉄筋を折り曲げて形成した足掛け桟１６と、下端部の位置に同じく鉄筋をコ字状に折り曲げた掛け吊り具１７が設けられ、足場台３に対する昇降に足掛け桟１６を利用すると共に、掛け吊り具１７は、高所作業用足場装置１を使用しないときに、上下を反転して上部の梁等に掛け吊るためのものである。
【００２１】
なお、図１に一点鎖線で示すように、取付け杆２の下端外面に補強板１８を貼り付け、取付け杆２の下端に損傷が発生するのを防止するようにしてもよい。
【００２２】
この考案の高所作業用足場装置は、上記のような構成であり、図５のように、構造物Ａの骨組みとなる鉄骨構造の組み立て作業において、立設した柱Ｂに対して、両側突出部４、４を柱Ｂに嵌めながら、柱Ｂの一面側に取付け杆２を重ねて外接させ、その下端を下部の梁Ｃ上に載せた状態で、柱Ｂの他面側に対して突出する両側突出部４、４の先端間に係止軸５を架設すれば、取付け杆２の上部と係止軸５及び両側突出部４、４により柱Ｂを抱持することで柱Ｂに対して垂直に固定でき、取付け杆２の上部にある足場台３が水平に配置される。
【００２３】
この状態で、作業者は足掛け桟１６を利用して足場台３に上り、柱Ｂと上部梁Ｄとの結合作業を行えばよく、取付け杆２の上部にある足場台３で作業の行い易い位置に足場を確保でき、十分な平面の確保により、高所作業が安全に能率よく行うことができる。
【００２４】
上記足場台３は、取付け杆２の上端部で取付け杆２の柱Ｂに対する嵌合方向に沿って、柱Ｂと反対方向に前面側へ水平状態で突出しているので、足場台３上に載る作業者の体重による荷重は、取付け杆２を柱Ｂに圧接する方向に作用し、上記のように、取付け杆２の上部で柱Ｂを抱持するだけで、十分な取付け強度を確保できる。
【００２５】
また、作業の終了時は、係止軸５を回転させ、ナット１１との螺合を解いて引き抜くだけで、高所作業用足場装置１の全体を簡単に柱Ｂから撤去でき、取外した高所作業用足場装置１は、上下を反転して掛け吊り具１７で上部の梁Ｄに掛け吊るようにすれば、他の位置での使用に速やかに対応することができて便利である。
【図面の簡単な説明】
【００２６】
【図１】この考案に係る高所作業用足場装置の斜視図
【図２】高所作業用足場装置の正面図
【図３】図２の矢印III−IIIの拡大した横断平面図
【図４】高所作業用足場装置の拡大した縦断正面図
【図５】高所作業用足場装置の使用状態を示す斜視図
【符号の説明】
【００２７】
１        高所作業用足場装置
２        取付け杆
３        足場台
４        突出部
５        係止軸
６        アングル材
７        フラットバー
８        床材
９        挿通孔
１０      先端雄ねじ
１１      ナット
１２      ハンドル
１３      リング
１４      チエン
１５      チャンネル補強材
１６      足掛け桟
１７      掛け吊り具
１８      補強板
Ａ        構造物
Ｂ        柱
Ｃ、Ｄ    梁
【図１】
0003127555.tif 000003
【図２】
0003127555.tif 000004
【図３】
0003127555.tif 000005
【図４】
0003127555.tif 000006
【図５】
0003127555.tif 000007